(57)【要約】【課題】第１の筐体の取付面側に流れ込んだ水が第１の筐体内に流入することを防止可能な自動販売機用リーダライタを提供する。【解決手段】自動販売機の前面に設けられた開口部１ａに取付可能に形成された第１の筐体１０と、自動販売機内に設けられた第２の筐体２０と、一端側が第１の筐体１０の取付面１２ａに設けられた挿通孔１２ｅを介して第１の筐体１０内の回路１０ａに接続されるとともに、他端側が第２の筐体２０内の回路２０ａに接続されるワイヤーハーネス３０とを備え、挿通孔１２ｅを含む筒状の凸部１２ｄを、第１の筐体１０の取付面１２ａに設けた。【選択図】図３
2010061527.tif 000002
【特許請求の範囲】
【請求項１】
自動販売機に設けられ、電子マネー情報が記憶された情報記憶媒体との間で通信を行う自動販売機用リーダライタにおいて、
自動販売機の前面に設けられた開口部に取付可能に形成された第１の筐体と、
自動販売機内に設けられた第２の筐体と、
一端側が第１の筐体の取付面に設けられた挿通孔を介して第１の筐体内の回路に接続されるとともに、他端側が第２の筐体内の回路に接続される信号伝送部とを備え、
前記挿通孔を含む筒状の凸部を、第１の筐体の取付面に設けた
ことを特徴とする自動販売機用リーダライタ。
【請求項２】
前記凸部を含む取付面の一部を、前記開口部に挿入可能な凸状に形成した
ことを特徴とする請求項１記載の自動販売機用リーダライタ。
【請求項３】
前記取付面に防水部材を設けた
ことを特徴とする請求項１または２記載の自動販売機用リーダライタ。
【発明の詳細な説明】
【技術分野】
【０００１】
本発明は、例えば缶、ビンまたはペットボトル入りの飲料等の商品を販売する自動販売機に設けられ、電子マネー情報が記憶された情報記憶媒体に対して決済処理を行うことの可能な自動販売機用リーダライタに関するものである。
【背景技術】
【０００２】
従来、この種の自動販売機用リーダライタとして、自動販売機に設けられ、電子マネー情報が記憶された情報記憶媒体との間で通信を行うものが知られている（例えば特許文献１参照）。
【０００３】
この自動販売機用リーダライタは、一部が自動販売機の前面開口部から露出する一つの筐体で構成されており、該リーダライタから所定範囲内の位置にかざされた非接触ＩＣカード等の情報記憶媒体と非接触通信を行うことができるようになっている。
【特許文献１】特開２００５−９２６３８号公報
【発明の開示】
【発明が解決しようとする課題】
【０００４】
ところで、自動販売機には多種の機器が設けられていることから、自動販売機用リーダライタの筐体のサイズによっては、該リーダライタを自動販売機の前面に設置することが困難になる場合がある。そこで、それぞれサイズが小さく形成された複数の筐体から自動販売機用リーダライタを構成することにより、各筐体のうち一つの筐体を自動販売機の前面に設置することが考えられる。この場合、自動販売機用リーダライタは、自動販売機の前面に設けられた開口部に取付可能に形成された第１の筐体と、自動販売機内に設けられる第２の筐体と、一端側が第１の筐体の取付面に設けられた挿通孔を介して第１の筐体内の回路に接続されるとともに、他端側が第２の筐体内の回路に接続される信号伝送部とから構成される。
【０００５】
しかしながら、この自動販売機用リーダライタでは、第１の筐体が自動販売機の開口部から前方に露出するように設けられているので、例えば自動販売機の前面に降りかかった雨水が第１の筐体の取付面と開口部の間に流れ込んだ場合には、第１の筐体の取付面に沿って流れ込んだ水が挿通孔を介して第１の筐体内に流入することにより、第１の筐体に故障が発生するおそれがあった。
【０００６】
本発明は前記問題点に鑑みてなされたものであり、その目的とするところは、第１の筐体の取付面側に流れ込んだ水が第１の筐体内に流入することを防止可能な自動販売機用リーダライタを提供することにある。
【課題を解決するための手段】
【０００７】
本発明は、前記目的を達成するために、自動販売機に設けられ、電子マネー情報が記憶された情報記憶媒体との間で通信を行う自動販売機用リーダライタにおいて、自動販売機の前面に設けられた開口部に取付可能に形成された第１の筐体と、自動販売機内に設けられた第２の筐体と、一端側が第１の筐体の取付面に設けられた挿通孔を介して第１の筐体内の回路に接続されるとともに、他端側が第２の筐体内の回路に接続される信号伝送部とを備え、前記挿通孔を含む筒状の凸部を、第１の筐体の取付面に設けている。
【０００８】
これにより、第１の筐体の取付面側に流れ込んだ水が凸部の周面に沿って案内されることから、水が挿通孔を介して第１の筐体内に流入するのを防止することが可能になる。
【発明の効果】
【０００９】
本発明によれば、水が挿通孔を介して第１の筐体内に流入するのを防止することができるので、水の流入による第１の筐体の故障発生を未然に防ぐことができ、自動販売機用リーダライタの維持コストの低減を図ることができるという利点がある。
【発明を実施するための最良の形態】
【００１０】
図１乃至図４は本発明の一実施形態を示すもので、図１は自動販売機用リーダライタの第１の筐体の正面側斜視図、図２は第１の筐体の背面側斜視図、図３は自動販売機用リーダライタの断面図、図４は自動販売機用リーダライタの背面部の要部拡大図である。
【００１１】
本実施形態の自動販売機用リーダライタは、例えば電子マネー残高等の電子マネー情報が記憶された情報記憶媒体としての非接触ＩＣカードに対して非接触で該電子マネー情報の読み書きを行う装置である。この自動販売機用リーダライタは、それぞれ中空状の第１の筐体１０及び第２の筐体２０と、各筐体１０，２０内にそれぞれ設けられた回路基板１０ａ，２０ａ上の回路に接続された信号伝送部としてのワイヤーハーネス３０とから構成されている。
【００１２】
第１の筐体１０は、自動販売機の前面側に設けられた外扉１の開口部１ａに前方から取付可能に形成されており、前面部１１、背面部１２、上面部１３、側面部１４及び底面部１５から構成されている。
【００１３】
前面部１１には、非接触ＩＣカードに記憶された電子マネー残高や操作案内等の文字情報を表示する表示部１１ａと、電子マネーサービス等を選択するための２つの選択ボタン１１ｂ，１１ｃと、非接触ＩＣカードの形状に合わせて形成された読取面１１ｄとが図１に示すようなレイアウトで設けられている。読取面１１ｄの裏面には、非接触ＩＣカードとの間でデータの送受信を行うためのループアンテナ（図示省略）が回路基板１０ａ上の回路に接続された状態で設けられている。そして、利用者が非接触ＩＣカードを第１の筐体１０の前面部１１にかざした際に非接触ＩＣカードが読取面１１ｄから所定範囲（例えば５センチメートル）内に存在する場合には、ループアンテナと非接触ＩＣカードとの間の非接触通信が可能となる。また、非接触ＩＣカードから読み出された電子マネー残高等の電子マネー情報は、回路基板１０ａに設けられた制御部（図示省略）の制御により表示部１１ａに表示される。
【００１４】
背面部１２には、外扉１の開口部１ａと嵌合可能に形成された取付面１２ａが設けられており、取付面１２ａには、取付面１２ａの一部を凸状に形成してなる突起部１２ｂと、防水部材としてのパッキン１２ｃと、凸部１２ｄとが図２に示すようなレイアウトで設けられている。突起部１２ｂは、角型に形成されており、第１の筐体１０を取付ける際に開口部１ａに挿入可能になっている。凸部１２ｄは、ワイヤーハーネス３０を挿通させるための挿通孔１２ｅを含む略角筒状に形成されており、突起部１２ｂと一体に設けられている。また、本実施形態では、突起部１２ｂ（凸部１２ｄを含む）が取付面１２ａから着脱可能に形成されており、突起部１２ｂと取付面１２ａとの間には、パッキン１２ｃが突起部１２ｂと取付面１２ａとの断面を覆うように設けられている。
【００１５】
ワイヤーハーネス３０は、一端側が第１の筐体１０の挿通孔１２ｅを介して第１の筐体１０内の回路基板１０ａ上の回路に接続されるとともに、他端側が第２の筐体２０内の回路基板２０ａ上の回路に接続されている。
【００１６】
以上のように構成された自動販売機用リーダライタにおいて、第１の筐体１０は、図３に示すように、取付面１２ａが外扉１の開口部１ａに前方から嵌合するように取付けられる。また、第２の筐体２０は、自動販売機内の所定位置に設けられており、各筐体１０，２０の回路基板１０ａ，２０ａはワイヤーハーネス３０によって相互接続されている。
【００１７】
次に、第１の筐体１０の上面部１３から背面部１２に水Ｗが流入した場合の動作について図４を参照して説明する。まず、上面部１３から背面部１２に流入した水Ｗは、取付面１２ａに沿って下方に流れる。そして、突起部１２ｂに到達した水Ｗの一部Ｗは、突起部１２ｂの上面に沿って突起部１２ｂの幅方向に流れる。ここで、突起部１２ｂと取付面１２ａとの間にはパッキン１２ｃが設けられているので、突起部１２ｂの上面に沿って流れる水Ｗが突起部１２ｂと取付面１２ａとの間を介して第１の筐体１０内に流入することがない。また、突起部１２ｂに沿って下方に流れる水Ｗは、凸部１２ｄに到達すると、凸部１２ｄの上面に沿って幅方向に流れる。そして、凸部１２ｄの上面に沿って流れる水Ｗは、凸部１２ｄの側面に沿って下方に流れ落ちる。
【００１８】
このようにして、第１の筐体１０の取付面１２ａ側に流れ込んだ水Ｗが凸部１２ｄの周面に沿って案内されることから、水Ｗが挿通孔１２ｅを介して第１の筐体１０内に流入するのを防止することが可能になる。
【００１９】
このように、本実施形態の自動販売機用リーダライタによれば、自動販売機の前面に設けられた開口部１ａに取付可能に形成された第１の筐体１０と、自動販売機内に設けられた第２の筐体２０と、一端側が第１の筐体１０の取付面１２ａに設けられた挿通孔１２ｅを介して第１の筐体１０内の回路１０ａに接続されるとともに、他端側が第２の筐体２０内の回路２０ａに接続されるワイヤーハーネス３０とを備え、挿通孔１２ｅを含む筒状の凸部１２ｄを、第１の筐体１０の取付面１２ａに設けたので、第１の筐体１０の取付面１２ａ側に流れ込んだ水Ｗを凸部１２ｄの周面に沿って案内することができる。従って、水Ｗが挿通孔１２ｅを介して第１の筐体１０内に流入するのを防止することができるので、水Ｗの流入による第１の筐体１０の故障発生を未然に防ぐことができ、自動販売機用リーダライタの維持コストの低減を図ることができるという利点がある。
【００２０】
また、凸部１２ｄを含む取付面１２ａの一部（突起部１２ｂ）を、開口部１ａに挿入可能な凸状に形成したので、取付面１２ａに流れ込む水Ｗの一部を突起部１２ｂの周面に沿って案内することができる。従って、多量の水Ｗが凸部１２ｄに到達するのを段階的に防ぐことができるので、自動販売機用リーダライタの防水性をより向上させることができる。
【００２１】
さらに、取付面１２ａにパッキン１２ｃを設けたので、突起部１２ｂの上面に沿って流れる水Ｗが突起部１２ｂと取付面１２ａとの間を介して第１の筐体１０内に流入するのを防ぐことができ、自動販売機用リーダライタの防水性をさらに向上させることができる。
【００２２】
なお、上記実施形態は本発明の具体例に過ぎず、本発明が上記実施形態のみに限定されることはない。例えば、上記実施形態では、略角筒状の凸部１２ｄを設けたものを示したが、凸部１２ｄを円筒状に形成してもよい。
【００２３】
また、凸部１２ｄを含む突起部１２ｂを、取付面１２ａと一体に形成することも可能である。
【図面の簡単な説明】
【００２４】
【図１】本発明の一実施形態を示す自動販売機用リーダライタの第１の筐体の正面側斜視図
【図２】自動販売機用リーダライタの第１の筐体の背面側斜視図
【図３】自動販売機用リーダライタの断面図
【図４】自動販売機用リーダライタの背面部の要部拡大図
【符号の説明】
【００２５】
１…外扉、１ａ…開口部、１０…第１の筐体、１０ａ…回路基板、１２…背面部、１２ａ…取付面、１２ｂ…突起部、１２ｃ…パッキン、１２ｄ…凸部、１２ｅ…挿通孔、２０…第２の筐体、２０ａ…回路基板、３０…ワイヤーハーネス、Ｗ…水。
【図１】
2010061527.tif 000003
【図２】
2010061527.tif 000004
【図３】
2010061527.tif 000005
【図４】
2010061527.tif 000006